(57)【要約】【課題】腕時計の着用者に音響信号をブロードキャストする方法を提供すること。【解決手段】方法は、この腕時計（１）の機能に関連する事象を識別するステップ、並びに、識別された事象に関連する構成信号を、少なくとも１つの変形可能な支持要素（９）上に取り付けられた複数の圧電要素（４）を備える腕時計（１）の音声インタフェース（３）に送信するステップを含み、複数の圧電要素及び少なくとも１つの変形可能な支持要素（９）は、一緒に音を生成することができる。【選択図】図１
2020078077.tif 000002
【特許請求の範囲】
【請求項１】
腕時計の着用者に音響信号をブロードキャストする方法であって、
前記方法は、前記腕時計（１）の機能に関連する事象を識別するステップ、
並びに、識別された前記事象に関連する構成信号を、少なくとも１つの変形可能な支持要素（９）上に取り付けられた複数の圧電要素（４）を備える前記腕時計（１）の音声インタフェース（３）に送信するステップを含み、
前記複数の圧電要素及び前記少なくとも１つの変形可能な支持要素（９）は、一緒に音を生成することができる、方法。
【請求項２】
前記送信するステップ（１１）は、前記識別された事象に関連する前記構成信号用の設計基準を選択するサブステップ（１２）を含むことを特徴とする、請求項１に記載の方法。
【請求項３】
前記設計基準は、音声インタフェース（３）の動作データを含み、前記データは、少なくとも１つの振動周波数及び少なくとも１つの振動振幅を含み、前記振動周波数及び前記振動振幅の両方は、前記インタフェース（３）を構成する前記圧電要素（４）の各々に対して定義されていること特徴とする、請求項２に記載の方法。
【請求項４】
情報データは、前記音響信号のブロードキャストの持続時間を含むことを特徴とする、請求項３に記載の方法。
【請求項５】
前記情報データは、ブロードキャストの前記持続時間に関して、前記圧電要素（４）の各々の少なくとも１つの動作時点／期間を含むこと、すなわち、
前記音響信号のブロードキャストの前記持続時間の全て若しくは一部の間の単一の動作時点、又は、
前記音響信号のブロードキャストの前記持続時間の間の一連の動作時点を含むこと、を特徴とする、請求項３又は４に記載の方法。
【請求項６】
前記情報データは、前記動作時点の各々に対して、
振動周波数及び振動振幅、
振動周波数及び一連の振動振幅、
一連の振動周波数及び一連の振動振幅、又は、
一連の振動周波数及び振動振幅、
を含むことを特徴とする、請求項５に記載の方法。
【請求項７】
前記構成信号は、メッセージのブロードキャストの前記期間中に、前記音声インタフェース（３）の前記圧電要素（４）の各々を制御するための別々の命令を含むことを特徴とする、請求項１から６のいずれか１項に記載の方法。
【請求項８】
前記構成信号は、前記音声インタフェース（３）の前記圧電要素（４）の各々を別々に制御することに関与して、
前記着用者にブロードキャストされることができる前記音、又は、
前記着用者にブロードキャストされることができる前記音及びタッチメッセージ、
を生成することに寄与することを特徴とする、請求項１から７のいずれか１項に記載の方法。
【請求項９】
請求項１から８のいずれか１項に記載の方法を実装した腕時計（１）、特にコネクテッド腕時計であって、前記腕時計（１）は、処理ユニット（２）、及び複数の圧電要素（４）が設けられた音声インタフェース（３）を備え、前記処理ユニット（２）は前記音声インタフェース（３）に接続されている、腕時計（１）。
【請求項１０】
前記音声インタフェース（３）は、前記腕時計ケース（１）内、及び／又は前記腕時計（１）の前記腕時計バンド内に画定されることを特徴とする、請求項９に記載の腕時計（１）。
【請求項１１】
プログラムコード命令を含むコンピュータプログラムであって、前記プログラムコード命令は、前記コンピュータプログラムが腕時計（１）の処理ユニット（２）によって実行された場合に、請求項１から８のいずれか１項に記載の方法の前記ステップ（１０から１３）を実行する、コンピュータプログラム。
【発明の詳細な説明】
【技術分野】
【０００１】
本発明は、腕時計の着用者に音響信号をブロードキャストする方法に関する。
【０００２】
本発明はまた、本方法を実装した腕時計、並びにコンピュータプログラムに関する。
【背景技術】
【０００３】
従来技術では慣例的に、通知メッセージの受信は、腕時計において、ラウドスピーカから構成された音声インタフェースによってブロードキャストされた音響信号の放出からなるアラートによって示されている。しかし、そのような音声インタフェースは、その機能との関連において多量のエネルギーを消費し、それゆえ、エネルギー容量が限定される、そのような腕時計にとっては問題である。
【０００４】
それゆえ、とりわけ従来技術の欠点を持たない、代替的な解決策を見つける必要が存在すると理解されるであろう。
【発明の概要】
【０００５】
従って、本発明の目的の１つは、エネルギーをほとんど消費しない、音響信号をブロードキャストする方法を提案し、腕時計によって発することができる極めて多様な種々の音を提案することである。
【０００６】
本発明の別の目的は、従来技術の音声インタフェースと比較して小型又はコンパクトな音声インタフェースを提案することである。
【０００７】
この目的のために、本発明は、腕時計の着用者に音響信号をブロードキャストする方法に関し、この方法は、この腕時計の機能に関連する事象を識別するステップ、並びに、識別された事象に関連する構成信号を、少なくとも１つの変形可能な支持要素上に取り付けられた複数の圧電要素を備える腕時計の音声インタフェースに送信するステップ、を含み、複数の圧電要素及び少なくとも１つの変形可能な支持要素は、一緒に音を生成することができる。
【０００８】
他の実施形態では、
送信するステップは、識別された事象に関連する構成信号用の設計基準を選択するサブステップを含み、
設計基準は、少なくとも１つの振動周波数及び少なくとも１つの振動振幅を含む、音声インタフェースの動作データを含み、これらは両方ともインタフェースを構成する各圧電要素に対して定義されており、
情報データは音響信号のブロードキャストの持続時間を含み、
情報データは、ブロードキャストの持続時間に関連する各圧電要素の少なくとも１つの動作時点／期間、すなわち、
音響信号のブロードキャストの持続時間の全て若しくは一部の間に機能している単一の時点、又は、
音響信号のブロードキャストの持続時間の間の一連の動作時点、を含み、
情報データは、各動作時点に対して、
振動周波数及び振動振幅、
振動周波数及び一連の振動振幅、
一連の振動周波数及び一連の振動振幅、又は、
一連の振動周波数及び振動振幅、
を含み、
構成信号は、メッセージのブロードキャストの持続時間の間に、音声インタフェースの各圧電要素を制御するための別々の命令を含み、
構成信号は、音声インタフェースの各圧電要素の別々の制御に関与して、
着用者にブロードキャストされることができる音声、又は、
着用者にブロードキャストされることができる音声及びタッチメッセージ、
を生成することに寄与する。
【０００９】
本発明はまた、本方法を実装した、とりわけコネクテッド腕時計に関し、腕時計は、処理ユニット、及び複数の圧電要素が設けられた音声インタフェース、を備え、処理ユニットは音声インタフェースに接続されている。
【００１０】
有益には、音声インタフェースは腕時計ケース内、及び／又はこの腕時計の腕時計バンド内に画定される。
【００１１】
本発明はまた、プログラムコード命令を含むコンピュータプログラムに関し、プログラムコード命令は、コンピュータプログラムが腕時計の処理ユニットによって実行されたときに、この方法のステップを実行する。
【００１２】
他の特徴及び利点は、添付の図面を参照して、決して限定することなく提示として以下に与えられる記載から明らかになるであろう。
【図面の簡単な説明】
【００１３】
【図１】本発明の一実施形態による、腕時計の着用者に音響信号をブロードキャストする方法に関連する論理図を示す。
【図２】本発明の一実施例による、本方法を実装した腕時計を示す。
【発明を実施するための形態】
【００１４】
図１は、腕時計１の着用者に音響信号をブロードキャストする方法を表す。本方法は、腕時計１の着用者に、腕時計１の１つ以上の機能に関連する事象の識別を、識別された事象に特有の音響信号のブロードキャストによって教える／通知することを目標としている。そのような方法により、この音響信号の生成に関与するために腕時計１内に配置された圧電要素４を別々に制御することが可能になる。例えば、この音響信号は、バランスなどの調整機構の影響下でダイレクトドライブが一秒ごとに「ジャンプ」するときのダイレクトドライブの運動に起因する、機械的運動の「カチカチ」というノイズを生成することができる。電子的運動を伴う、腕時計１のための、この特に有利な例では、識別された事象は、腕時計の動作モードの起動であって、起動は例えば腕時計１のコンテクストメニュー中のこの動作モードの選択であってもよい。この音響信号は、この腕時計１の音声インタフェース内に含まれる腕時計１の触覚描画インタフェースのインタフェースによってブロードキャストされる、検出された事象に関連するタッチメッセージに関連付けられてもよい、という点に留意すべきである。例えば、事象の識別に続いて、腕時計による音声／ノイズのブロードキャストに加えて、識別された事象に特有のタッチメッセージもまた、着用者に同時に又は実質的に同時にブロードキャストされてもよい。そのようなメッセージは、非限定的及び非網羅的に、
触覚の形態での、パターン／記号、文字、又は図形などの図形表現の輪郭の生成、すなわち、着用者の皮膚上で個人の指先の運動によって実現され得るようなものの生成、
着用者の皮膚への図形表現の適用、例えば文字又は記号／パターンの形状の適用、
例えば、穏やかな、快適な、又は官能的な、又は逆に不快な触覚の知覚を着用者に対して生成することを目指した、波動及び／又は振動する現象の生成、
に対応してもよい。
【００１５】
これに関連して、特に音声インタフェース３を用いた音声／ノイズを有する、このタッチメッセージのブロードキャストにより、着用者が、音響的に感知する音声に加えて、メッセージを触覚的に感知することが可能になる。換言すれば、着用者によるこのメッセージの受信は、着用者の触感覚認知に依存している。一例では、識別された事象が着用者のガールフレンドからの不在着信に関連する場合は、着用者は、音声／ノイズに加えて、愛撫の感覚を着用者の皮膚上で感知することができ、又は変形形態では、着用者はハート形状の輪郭の生成を着用者の皮膚上で感知することができる。
【００１６】
そのような方法は、腕時計１、特にコネクテッド腕時計によって実現される。図２に見える、そのような腕時計１は、非限定的及び非網羅的に、
ハードウェアリソース及びソフトウェアリソース、特に、メモリ構成要素と協働する少なくとも１つのプロセッサ、を備える処理ユニット２、
複数の圧電要素４を備える音声インタフェース３であって、各要素４は電気信号を機械的発振／脈動に変換することができる、音声インタフェース３、
音声インタフェース３に含まれ、従って複数の圧電要素４を備えてもいる、触覚描画インタフェース、
第１のアナログ表示構成要素、並びに第２のデジタル及び／又は英数字表示構成要素が設けられたハイブリッド表示ダイヤル５、
通信モジュール６、
機械式又は電子式ムーブメント７、及び、
環境、挙動、及び／又は生理学的センサ８、
を備える。
【００１７】
腕時計１のこの処理ユニット２は、とりわけ、音声インタフェース３、触覚描画インタフェース、圧電要素４、表示ダイヤル５、通信モジュール６、ムーブメント７、並びに環境、挙動及び生理学的センサ８にリンク／接続されている。
【００１８】
この腕時計１では、音声インタフェース３は腕時計ケース１内、及び／又はこの腕時計の腕時計バンド内に定義される。この音声インタフェース３、及び従って更に触覚描画インタフェースは、圧電要素４、及び圧電要素４に関連付けられた少なくとも１つの変形可能な支持要素９を備える。各圧電要素４は、例えば圧電セラミック又は可撓性圧電材料（ポリフッ化ビニリデン：ＰＶＤＦ）から製造されてもよく、非限定的に、円形形状を有してもよく、及び／又はフィルム又は膜であってもよい。そのような圧電要素４は、およそ数ミリメートル又は更に数マイクロメートルの小さな厚さと共に、およそ数平方ミリメートル又は更に数平方マイクロメートルの特徴的寸法を有してもよい。この圧電要素４は、少なくとも１つの支持要素９を振動によって変形させるために、処理ユニット２から制御命令を受信することができる。音響支持要素９とも称される、変形可能支持要素９は、例えばプレートである。本明細書では、用語「プレート」は実質的に２次元の要素であり、その厚さは長さ及び幅と比較して小さいと理解されるであろう。プレートは湾曲して所与の曲率を有していてもよい。
【００１９】
振動による支持要素９の変形は、可聴効果を生み、従って音響信号を生成し、よって支持要素９の周囲の空気の動きを生成することが可能な、振動周波数範囲に従って達成される。振動周波数範囲は支持要素９の材料に直接依存する。例として、支持要素９がＰＭＭＡから作製される場合は、対応する周波数範囲は２０Ｈｚから２０ｋＨｚにわたる。可聴効果の連続が音楽／メロディーを形成するような、高周波数での振動による支持要素９の所与の一連の変形を想定することができる。本明細書では、周囲の空気を撹乱させることにより音を直接生成するのは圧電要素４の運動ではなく、実際は、この撹乱、従って音響信号を生成するのは、圧電要素４が載っている支持要素９の動きであるという点に留意すべきである。
【００２０】
第１の例示的実施形態では、この音声インタフェース３の圧電要素４は、腕時計ケース１の裏面を形成する支持要素９の面の全て又は一部に配置され得る。第２の例では、これら圧電要素４は腕時計バンドに、特に、この腕時計バンドの少なくとも１つの長さに含まれる支持要素９の面の全て又は一部に配置されてもよい。第３の例では、これら圧電要素４は、腕時計ケースの裏面及び腕時計バンドの少なくとも１つの長さに含まれる支持要素９の面の全て又は一部に配置され得る。第４の例では、この音声インタフェース３の各圧電要素４は、別々の支持要素９に関連付けられてもよく、換言すると、音声インタフェース３が備える支持要素９と同じ数の圧電要素４を備える。従って、圧電要素４及び支持要素９からなるアセンブリは腕時計ケース内及び／又は腕時計バンド内に配置され得る。第５の例では、腕時計ケースの裏面は複数の支持要素９に分割されてもよく、その各々に少なくとも１つの圧電要素４を配置することができる。
【００２１】
この腕時計１では、各圧電要素４は、処理ユニット２に別々にリンク／接続されていることに留意されたい。換言すれば、処理ユニット２はこの音声インタフェース３の各圧電要素４を個々に及び／又は別々に制御することができる。
【００２２】
音声インタフェース３に含まれる触覚描画インタフェースの圧電要素４及び変形可能な支持要素９は、この音声インタフェース３に含まれる要素と同じように配置されるという点に留意すべきである。しかし、触覚描画インタフェースのこれら要素４、９は、腕時計１の部分の全てに又は一部だけに画定されており、この部分は、例えば着用者の手首に画定される着用者の皮膚と接触することが意図されている。触覚描画インタフェースは、圧電要素４及び変形可能な支持要素９が配置されている、変形可能な支持膜を備えてもよいという点に留意すべきである。この例では、そのとき、この膜は腕時計１に取り付けられた部分であってもよく、同時に、着用者の皮膚と接触する、腕時計ケースの裏面に固定されてもよく、及び／又は着用者の皮膚と接触する、腕時計バンドの面に固定されてもよい。一代替形態では、この膜は腕時計ケース１の裏の接触面及び／又は腕時計バンドの接触面と一体として形成されてもよい。
【００２３】
この腕時計１では、通信モジュール６は、特にＳＩＭ（「加入者識別モジュール：Ｓｕｂｓｃｒｉｂｅｒ  Ｉｄｅｎｔｉｔｙ  Ｍｏｄｕｌｅ」の頭字語）カードを備えることによりセルラネットワークのシステムと、又はＷＬＡＮ無線ローカルネットワークと、接続を確立するように構成されており、例えばＢｌｕｅｔｏｏｔｈ（登録商標）などの通信技術を実装することもできる。これらの状態下では、腕時計１は、遠隔サーバ、コンピュータ、又はコンピュータフォンとデータを交換できる。
【００２４】
その上、腕時計１の環境センサ８は、環境パラメータ、例えば温度、気圧などを測定するにはとりわけ好適である。挙動センサ８に関しては、これらは、腕時計１の着用者の全てのタイプの挙動特性、例えば、着用者が行った動き又はジェスチャなどを測定できる。この目的のため、これら挙動センサ８は１つ以上の慣性センサを備えてもよく、これは、加速度計、ジャイロスコープ、又は小型多軸ジャイロメータのタイプであり、例えばＭＥＭＳ技術で作製された多軸センサであって、角速度、並びに加速度計及び／又はジャイロスコープに関連付けられた複数の軸線に沿った線形加速度を検出できる。生理学的センサ８に関しては、これらは、着用者の生体の機能に関連するパラメータ、例えば、脈拍、血液酸素飽和度、皮膚インピーダンス、血圧、呼吸数、呼吸性不整脈、皮膚温、発汗量、血液酸素飽和度、又は血流量などを測定できる。
【００２５】
そのような方法は、腕時計１の機能に関連する事象を識別するステップ１０を含む。この腕時計１は、実際に機能のセットを含む。これらの機能は、非限定的及び非網羅的に、通話の管理、ＳＭＳ又はＭＭＳタイプのショートメッセージの管理、インスタントメッセージの管理、気圧測定、標高測定、温度測定、スポーツ結果の提供、ナビゲーション／案内支援、動きのモニタ、速い脈拍数測定、歩数測定、日記、腕時計の動作モードの構成（例えば、動作モードは、「カチカチ」などの機械的運動の音又はノイズの再生である）、アラームなど、に関連する。
【００２６】
これに関連して、処理ユニット２による事象の識別は、非限定的及び非網羅的に、
特に、着用者の挙動若しくは生理学的パラメータ、又は環境パラメータなどを、この処理ユニット２によってモニタする場合は、１つ以上のセンサ８から得られた測定値が閾値を超過したと判断すること、
通信モジュール６から来て処理ユニット２によって受信された不在着信を受信すること、
遠隔サーバの処理ユニット２によって通信モジュールを介してから受信された、ショートメッセージ若しくはインスタントメッセージ、又は電子メールを受信すること、
腕時計１の動作モードを起動すること（例えば、「カチカチ」というノイズに関連するモード）、
目覚ましアラーム、会議用のアラーム、薬摂取用のアラームなどのアラームをトリガすること、
などの結果生じ得る、という点に留意すべきである。
【００２７】
本方法は次に、識別された事象に関連する構成信号を、少なくとも１つの支持要素９上に取り付けて一緒に音を生成できる複数の圧電要素４を備える腕時計１の音声インタフェース３に送信するステップ１１を含む。この音声インタフェースは、前述した通り、音声／ノイズに加えて、この音声インタフェース３の触覚描画インタフェース内に含まれる複数の圧電要素４及び少なくとも１つの支持要素９によって形成されたアセンブリからタッチメッセージを生成できるという点に留意すべきである。このステップ１１は、識別された事象に関連する構成信号用の設計基準を選択するサブステップ１２を含む。換言すれば、この設計基準は識別された事象に応じて定義される。この設計基準は好ましくは、処理ユニット２のメモリ要素内にアーカイブされている他の識別可能な事象に対する他の設計基準のように、腕時計の着用者によって事前に構成されている。そのような設計基準は、音声インタフェース３を構成する圧電要素４の動作シナリオを含む。そのとき、この設計基準は、腕時計１の着用者に伝達されることが意図された音響信号の生成に関与する構成信号の設計に関与している。例として、識別された事象が、「カチカチというノイズなどの、腕時計の動作モードの起動」である場合は、構成信号の設計基準は、機械的運動の「カチカチ」というノイズを表現する音響信号を生成するように特別に定義された構成信号を設計することを目標とする動作シナリオを含む。変形形態では、設計基準は、腕時計１の着用者に伝達されることが意図された音響信号及びタッチメッセージの生成に寄与する構成信号の設計に関与してもよい。例として、識別された事象が、「目覚ましアラームのトリガ」である場合は、構成信号の設計基準は、構成信号を設計することを目標とする動作シナリオを含み、構成信号は、音響信号、及び、着用者によって感知される愛撫の感覚を伴う穏やかな目覚まし音楽／メロディーを再現する、このタッチメッセージを生成するように特に定義されている。
【００２８】
構成信号の設計基準は音声インタフェース３の動作データを含む。より正確には、音声インタフェース３のこれら動作データは、インタフェース３を構成する各圧電要素４に対して定義された少なくとも１つの周波数及び少なくとも１つの振幅を含む。特に、これら動作データは、
音響信号のブロードキャストの持続時間と、
ブロードキャストの持続時間に対しての、各圧電要素４の少なくとも１つの動作時点／期間、すなわち、
音響信号のブロードキャストの期間の全て又は一部の間の単一の動作時点、又は、
音響信号のブロードキャストの期間中の一連の動作時点と、
各動作時点に対して、
振動周波数及び振動振幅、又は、
振動周波数及び一連の振幅、又は、
一連の振動周波数及び一連の振動振幅、又は、
一連の振動周波数及び振動振幅、
を含む。
【００２９】
一連の振動周波数は、類似した若しくは実質的に類似した周波数のみ、又は異なる若しくは実質的に異なる周波数のみ、又は類似した周波数と異なる周波数との組み合わせを含んでもよいという点に留意すべきである。同様に、一連の振幅は、類似した若しくは実質的に類似した振幅のみ、又は異なる若しくは実質的に異なる振幅のみ、又は類似した振幅と異なる振幅との組み合わせを含んでもよい。
【００３０】
このステップ１１は次に、設計基準から構成信号を生成するサブステップ１３を含む。このサブステップ１３の間に、処理ユニット２は、この設計基準を用いて、この音声インタフェース３の各圧電要素４を個々に及び／又は別々に制御することを可能にする構成信号を設計する。この構成信号は次に、処理ユニット２によって音声インタフェース３に送信される。そのような信号は、タッチメッセージのブロードキャストに関連するか又は関連しない音響信号のブロードキャストの期間中に、各圧電要素４に対する別々の制御命令を含む。
【００３１】
この構成信号を受信した時点で、音声インタフェース３は着用者に、タッチメッセージのブロードキャストに関連するか又は関連しない音響信号を送信／ブロードキャストする。従って、この音響信号は、非限定的及び非網羅的に、
少なくとも１つの可変振幅及び／又は少なくとも１つの可変周波数を有する、簡潔な及び／又は短い音声／ノイズ、
少なくとも１つの可変振幅及び／又は少なくとも１つの可変周波数を有する長い音声／ノイズ、
少なくとも１つの可変振幅及び／又は少なくとも１つの可変周波数を有する、簡潔な及び／又は短い音声、及び／又は長い音声／ノイズの連続、
音楽／メロディー、又は、
音楽／メロディーの連続、
に対応してもよい。
【００３２】
音響信号のブロードキャストにタッチメッセージのブロードキャストが付随する場合は、この音声／ノイズのブロードキャストは、非限定的及び非網羅的に、
触覚の形態での、パターン／記号、文字、又は数字などの図形表現の輪郭の生成、すなわち、着用者の皮膚上で個人の指先の運動によって実現され得るようなものの生成、
着用者の皮膚への図形表現の適用、例えば文字又は記号／パターンの形状の適用、
例えば、穏やかな、快適な、又は官能的な、又は逆に不快な触覚の知覚を着用者に対して生成することを目指した、波動及び／又は振動する現象の生成、に関連付けられる。
【００３３】
本発明はまた、プログラムコード命令を含むコンピュータプログラムに関し、プログラムコード命令は、コンピュータプログラムが腕時計１の処理ユニット２によって実行された場合に、本方法のステップ１０から１３を実行する。
【符号の説明】
【００３４】
１  腕時計
２  処理ユニット
３  音声インタフェース
４  圧電要素
５  表示ダイヤル
６  通信モジュール
７  ムーブメント
８  センサ
９  支持要素
１０  識別するステップ
１１  送信するステップ
１２  選択するサブステップ
１３  生成するサブステップ
【図１】
2020078077.tif 000003
【図２】
2020078077.tif 000004
【外国語明細書】
2020078077000001.pdf